(57)【要約】【課題】ひねり曲げによる変形が生じてもアンテナの破断を抑制できるようにする。【解決手段】ＲＦＩＤタグ５を、基材長手方向に延びる第１アンテナ２と、基材短手方向の両側に中央が突出するように延びる補強部４とを備え、補強部が、基材長手方向の一側及び他側で第１アンテナに交差する第１及び第２交差縁部４Ｘ，４Ｙと、中央側から基材長手方向の一側へ向けて第１アンテナに近づくように傾斜し、第１交差縁部の一側に接続される第１傾斜縁部４Ａと、中央側から基材長手方向の他側へ向けて第１アンテナに近づくように傾斜し、第２交差縁部の一側に接続される第２傾斜縁部４Ｂと、中央側から基材長手方向の一側へ向けて第１アンテナに近づくように傾斜し、第１交差縁部の他側に接続される第３傾斜縁部４Ｃと、中央側から基材長手方向の他側へ向けて第１アンテナに近づくように傾斜し、第２交差縁部の他側に接続される第４傾斜縁部４Ｄとを備えるものとする。【選択図】図１
2019192137.tif 000002
【特許請求の範囲】
【請求項１】
基材と、
前記基材上に設けられ、前記基材の長手方向に延びる第１アンテナと、
前記基材の上方に設けられ、前記基材の短手方向の両側に中央が突出するように延びる補強部とを備え、
前記補強部は、
前記基材の長手方向の一方の側に位置し、平面視で前記第１アンテナに交差する第１交差縁部と、
前記基材の長手方向の他方の側に位置し、平面視で前記第１アンテナに交差する第２交差縁部と、
平面視で前記中央の側から前記基材の長手方向の一方の側へ向けて前記第１アンテナに近づくように傾斜し、前記第１交差縁部の前記基材の短手方向の一方の側に接続される第１傾斜縁部と、
平面視で前記中央の側から前記基材の長手方向の他方の側へ向けて前記第１アンテナに近づくように傾斜し、前記第２交差縁部の前記基材の短手方向の一方の側に接続される第２傾斜縁部と、
平面視で前記中央の側から前記基材の長手方向の一方の側へ向けて前記第１アンテナに近づくように傾斜し、前記第１交差縁部の前記基材の短手方向の他方の側に接続される第３傾斜縁部と、
平面視で前記中央の側から前記基材の長手方向の他方の側へ向けて前記第１アンテナに近づくように傾斜し、前記第２交差縁部の前記基材の短手方向の他方の側に接続される第４傾斜縁部とを備えることを特徴とするＲＦＩＤタグ。
【請求項２】
前記第１交差縁部は、第１凸部、第１凹部及び第２凸部を有し、
前記第２交差縁部は、第３凸部、第２凹部及び第４凸部を有し、
前記第１交差縁部の前記第１凹部、前記第２交差縁部の前記第２凹部は、平面視で前記第１アンテナに交差していることを特徴とする、請求項１に記載のＲＦＩＤタグ。
【請求項３】
前記第１交差縁部と前記第１傾斜縁部が接続される部分、前記第２交差縁部と前記第２傾斜縁部が接続される部分、前記第１交差縁部と前記第３傾斜縁部が接続される部分、前記第２交差縁部と前記第４傾斜縁部が接続される部分は、湾曲状になっていることを特徴とする、請求項１に記載のＲＦＩＤタグ。
【請求項４】
前記第１交差縁部の前記第１凸部及び前記第２凸部、前記第２交差縁部の前記第３凸部及び前記第４凸部は、湾曲状になっていることを特徴とする、請求項２に記載のＲＦＩＤタグ。
【請求項５】
前記第１傾斜縁部と前記第２傾斜縁部は、平面視で、前記補強材の前記基材の長手方向の中央位置で接続されており、
前記第３傾斜縁部と前記第４傾斜縁部は、平面視で、前記補強材の前記基材の長手方向の中央位置で接続されていることを特徴とする、請求項１〜４のいずれか１項に記載のＲＦＩＤタグ。
【請求項６】
前記第１傾斜縁部と前記第２傾斜縁部が接続される部分は、湾曲状になっており、
前記第３傾斜縁部と前記第４傾斜縁部が接続される部分は、湾曲状になっていることを特徴とする、請求項５に記載のＲＦＩＤタグ。
【請求項７】
前記第１傾斜縁部、前記第２傾斜縁部、前記第３傾斜縁部及び前記第４傾斜縁部は、少なくとも１つのノッチを備えることを特徴とする、請求項１〜６のいずれか１項に記載のＲＦＩＤタグ。
【請求項８】
前記基材上に設けられ、前記基材の長手方向に延びる第２アンテナを備え、
前記補強部の前記第１傾斜縁部及び前記第２傾斜縁部又は前記第３傾斜縁部及び前記第４傾斜縁部が、平面視で前記第２アンテナに部分的に重なっていることを特徴とする、請求項１〜６のいずれか１項に記載のＲＦＩＤタグ。
【請求項９】
前記補強部の前記第１傾斜縁部及び前記第２傾斜縁部が前記第２アンテナに部分的に重なっている場合、前記第１傾斜縁部及び前記第２傾斜縁部は、前記第２アンテナに重なっている部分に第１ノッチを備え、
前記補強部の前記第３傾斜縁部及び前記第４傾斜縁部が前記第２アンテナに部分的に重なっている場合、前記第３傾斜縁部及び前記第４傾斜縁部は、前記第２アンテナに重なっている部分に第２ノッチを備えることを特徴とする、請求項８に記載のＲＦＩＤタグ。
【請求項１０】
前記第１傾斜縁部、前記第２傾斜縁部、前記第３傾斜縁部及び前記第４傾斜縁部は、前記基材の短手方向に沿う線とのなす角が７５°以下であることを特徴とする、請求項１〜９のいずれか１項に記載のＲＦＩＤタグ。
【発明の詳細な説明】
【技術分野】
【０００１】
本発明は、ＲＦＩＤタグに関する。
【背景技術】
【０００２】
例えば、ＲＦＩＤ（Radio Frequency Identifier）タグは、アンテナと半導体チップを備えており、アンテナが受信した電磁波により半導体チップが動作し、半導体チップに記憶されたＩＤ情報を外部機器が読み取ることで物品の管理に使用される。
【先行技術文献】
【特許文献】
【０００３】
【特許文献１】特開２００８−４０９５０号公報
【特許文献２】特開２０１０−１１４５２６号公報
【特許文献３】特開２０１６−５８０６２号公報
【発明の概要】
【発明が解決しようとする課題】
【０００４】
ところで、ＲＦＩＤタグの用途としては、例えば衣服やシーツ等のリネン製品の管理がある。
例えば、リネン製品の管理に使用されるＲＦＩＤタグには、洗濯工程で外力が作用してもアンテナや半導体チップが破壊されないように、補強部を設けることがある。
一方、リネン製品の管理に使用されるＲＦＩＤタグは、細長い形状が多く、洗濯工程における主な変形モードはひねり曲げである。
【０００５】
そして、例えば４つの角部を有する補強部が設けられている場合、ＲＦＩＤタグにひねり曲げによる変形が生じた際に、補強部の４つの角部が変形し、これによって、アンテナが破断してしまうことがわかった。
なお、ここでは、リネン製品の管理に使用されるＲＦＩＤタグの課題として説明しているが、これに限られるものではなく、ひねり曲げによる変形が生じるＲＦＩＤタグにおいて同様の課題がある。
【０００６】
本発明は、ひねり曲げによる変形が生じてもアンテナの破断を抑制できるようにすることを目的とする。
【課題を解決するための手段】
【０００７】
１つの態様では、ＲＦＩＤタグは、基材と、基材上に設けられ、基材の長手方向に延びる第１アンテナと、基材の上方に設けられ、基材の短手方向の両側に中央が突出するように延びる補強部とを備え、補強部は、基材の長手方向の一方の側に位置し、平面視で第１アンテナに交差する第１交差縁部と、基材の長手方向の他方の側に位置し、平面視で第１アンテナに交差する第２交差縁部と、平面視で中央の側から基材の長手方向の一方の側へ向けて第１アンテナに近づくように傾斜し、第１交差縁部の基材の短手方向の一方の側に接続される第１傾斜縁部と、平面視で中央の側から基材の長手方向の他方の側へ向けて第１アンテナに近づくように傾斜し、第２交差縁部の基材の短手方向の一方の側に接続される第２傾斜縁部と、平面視で中央の側から基材の長手方向の一方の側へ向けて第１アンテナに近づくように傾斜し、第１交差縁部の基材の短手方向の他方の側に接続される第３傾斜縁部と、平面視で中央の側から基材の長手方向の他方の側へ向けて第１アンテナに近づくように傾斜し、第２交差縁部の基材の短手方向の他方の側に接続される第４傾斜縁部とを備える。
【発明の効果】
【０００８】
１つの側面として、ひねり曲げによる変形が生じてもアンテナの破断を抑制できるという効果を有する。
【図面の簡単な説明】
【０００９】
【図１】本実施形態にかかるＲＦＩＤタグの構成を示す模式的平面図である。
【図２】本実施形態にかかるＲＦＩＤタグの構成を示す模式的断面図である。
【図３】本実施形態にかかるＲＦＩＤタグに備えられる補強材の他の構成を示す模式的平面図である。
【図４】本実施形態にかかるＲＦＩＤタグに備えられる補強材の第１変形例の構成を示す模式的平面図である。
【図５】（Ａ）、（Ｂ）は、本実施形態にかかるＲＦＩＤタグに備えられる補強材の第２変形例の構成を示す模式的平面図である。
【図６】本実施形態にかかるＲＦＩＤタグに備えられる第２変形例の補強材とアンテナの位置関係を示す模式的平面図である。
【図７】本実施形態にかかるＲＦＩＤタグに備えられる補強材の第３変形例の構成を示す模式的平面図である。
【図８】本実施形態にかかるＲＦＩＤタグに備えられる補強材の第４変形例の構成を示す模式的平面図である。
【図９】本実施形態にかかるＲＦＩＤタグに備えられる補強材の第５変形例の構成を示す模式的平面図である。
【図１０】（Ａ）、（Ｂ）は、本実施形態にかかるＲＦＩＤタグによる効果を確認するためのシミュレーションの方法を説明するための模式的平面図であり、（Ｃ）はそのシミュレーションの結果を示す図である。
【図１１】従来のＲＦＩＤタグの構成を示す模式的平面図である。
【図１２】従来のＲＦＩＤタグの構成における課題を説明するための模式的平面図である。
【発明を実施するための形態】
【００１０】
以下、図面により、本発明の実施の形態にかかるＲＦＩＤタグについて、図１〜図１２を参照しながら説明する。
本実施形態にかかるＲＦＩＤタグは、例えば衣服やシーツ等のリネン製品の管理に使用されるリネンタグであって、細長い形状、即ち、長尺形状を有し、フレキシブル性を有する。
【００１１】
なお、本実施形態では、リネン製品の管理に使用されるＲＦＩＤタグに本発明を適用する場合を例に挙げて説明するが、これに限られるものではなく、本発明は、ひねり曲げによる変形が生じるＲＦＩＤタグに広く適用することが可能である。
本実施形態では、図１、図２に示すように、ＲＦＩＤタグ５は、基材１と、アンテナ２と、ＩＣ（Integrated Circuit）チップ３と、補強材４とを備える。
【００１２】
なお、図１では、補強材４はアンテナ２やＩＣチップ３を覆っているが、便宜上、補強材４の下方に設けられるアンテナ２やＩＣチップ３も示している。また、図２中、符号６はバンプを示している。
ここで、基材１は、例えばＰＥＴなどの樹脂からなるフレキシブル性を有するシートやフィルムである。
【００１３】
また、アンテナ２は、基材１上に設けられた例えば銀パターンなどの導電パターンによって構成される。
また、ＩＣチップ３は、基材１上に搭載（実装）されている。つまり、ＩＣチップ３は、基材１の上方に設けられ、アンテナ２に電気的に接続されている。そして、後述の補強材４で覆われている。
【００１４】
また、補強材４は、例えばＰＥＴなどの樹脂からなり、基材１よりも硬く、剛性の高いものであり、ＩＣチップ３の周囲を補強すべく、ＩＣチップ３及びＩＣチップ３とアンテナ２の接続部の近傍を覆うように設けられる。例えば、補強材４は、その中心付近にＩＣチップ３が配置されるように設ければ良い。また、補強材４は、例えば接着材などによって接着すれば良い。
【００１５】
なお、補強材４は、ＩＣチップ３の上方の側に設けても良いし、ＩＣチップ３の下方の側に設けても良いし、ＩＣチップ３の上方の側及び下方の側の両側に設けても良い。また、補強材４は、例えば保護シートなどを間に挟んで設けても良い。
このほか、補強材４を覆うように外装材を設けても良い。この外装材としては、例えばゴムシート等の弾性シートなどを用いれば良い。
【００１６】
なお、基材１を基板ともいう。また、アンテナ２を第１アンテナ又はアンテナ配線ともいう。また、ＩＣチップ３を半導体チップともいう。また、補強材４を補強部又はＲＦＩＤタグ用補強材ともいう。
このＲＦＩＤタグ５は、アンテナ２が受信した電磁波によってＩＣチップ３が動作し、ＩＣチップ３に記憶されたＩＤ情報を外部機器が読み取ることでリネン製品の管理に使用される。
【００１７】
そして、リネン製品の管理に使用されるため、洗濯工程で外力が作用してもアンテナ２や半導体チップ３が破壊されないように、補強材４を備える。
特に、本実施形態では、ＲＦＩＤタグ５は、基材１上に設けられ、基材１の長手方向に延びるアンテナ２と、基材１の上方に設けられ、基材１の短手方向の両側に中央が突出するように延びる補強材４とを備える。
【００１８】
なお、ここでは、アンテナ２は基材１の長手方向に沿って延びているため、基材１の長手方向とアンテナ２の長手方向は一致しており、基材１の短手方向とアンテナ２の短手方向は一致している。
そして、補強材４は、第１交差縁部４Ｘと、第２交差縁部４Ｙと、第１傾斜縁部４Ａと、第２傾斜縁部４Ｂと、第３傾斜縁部４Ｃと、第４傾斜縁部４Ｄとを備える。なお、傾斜縁部４Ａ〜４Ｄを傾斜部、斜辺又は斜辺部ともいう。また、交差縁部４Ｘ、４Ｙを交差部ともいう。
【００１９】
ここで、第１交差縁部４Ｘは、基材１の長手方向の一方の側（ここでは、図１中、右側）に位置し、平面視でアンテナ２に交差している。
第２交差縁部４Ｙは、基材１の長手方向の他方の側（ここでは、図１中、左側）に位置し、平面視でアンテナ２に交差している。
第１傾斜縁部４Ａは、平面視で中央の側（即ち、補強材４の基材長手方向の中央の側；符号Ｘで示す線を参照）から基材１の長手方向の一方の側（ここでは、図１中、右側）へ向けてアンテナ２に近づくように傾斜し、第１交差縁部４Ｘの基材１の短手方向の一方の側（ここでは、図１中、上側）に接続されている。
【００２０】
第２傾斜縁部４Ｂは、平面視で中央の側（即ち、補強材４の基材長手方向の中央の側；符号Ｘで示す線を参照）から基材１の長手方向の他方の側（ここでは、図１中、左側）へ向けてアンテナ２に近づくように傾斜し、第２交差縁部４Ｙの基材１の短手方向の一方の側（ここでは、図１中、上側）に接続されている。
第３傾斜縁部４Ｃは、平面視で中央の側（即ち、補強材４の基材長手方向の中央の側；符号Ｘで示す線を参照）から基材１の長手方向の一方の側（ここでは、図１中、右側）へ向けてアンテナ２に近づくように傾斜し、第１交差縁部４Ｘの基材１の短手方向の他方の側（ここでは、図１中、下側）に接続されている。
【００２１】
第４傾斜縁部４Ｄは、平面視で中央の側（即ち、補強材４の基材長手方向の中央の側；符号Ｘで示す線を参照）から基材１の長手方向の他方の側（ここでは、図１中、左側）へ向けてアンテナ２に近づくように傾斜し、第２交差縁部４Ｙの基材１の短手方向の他方の側（ここでは、図１中、下側）に接続されている。
このように、補強材４の第１交差縁部４Ｘ及び第２交差縁部４Ｙは、平面視でアンテナ２に交差しており、第１傾斜縁部４Ａ、第２傾斜縁部４Ｂ、第３傾斜縁部４Ｃ及び第４傾斜縁部４Ｄは、平面視でアンテナ２に交差していない。
【００２２】
本実施形態では、第１傾斜縁部４Ａと第２傾斜縁部４Ｂが接続されており、第３傾斜縁部４Ｃと第４傾斜縁部４Ｄが接続されている。
ここでは、第１傾斜縁部４Ａと第２傾斜縁部４Ｂは、平面視で、補強材４の基材長手方向の中央位置（符号Ｘで示す線を参照）で接続されており、第３傾斜縁部４Ｃと第４傾斜縁部４Ｄは、平面視で、補強材４の基材長手方向の中央位置（符号Ｘで示す線を参照）で接続されている。
【００２３】
なお、これに限られるものではなく、例えば、第１傾斜縁部４Ａと第２傾斜縁部４Ｂが接続される部分、あるいは、第３傾斜縁部４Ｃと第４傾斜縁部４Ｄが接続される部分が、平面視で、補強材４の基材長手方向の中央領域において、その中央位置からずれた位置になっていても良い。この場合も、補強材４は、基材１の短手方向の両側に中央が突出するように延びていることになる。
【００２４】
また、例えば、補強材４を、基材短手方向の一方の側に位置し、平面視で基材長手方向に平行な第１平行縁部と、基材短手方向の他方の側に位置し、平面視で基材長手方向に平行な第２平行縁部とを備えるものとし、第１傾斜縁部４Ａと第２傾斜縁部４Ｂが、第１平行縁部を介して接続され、第３傾斜縁部４Ｃと第４傾斜縁部４Ｄが、第２平行縁部を介して接続されるようにしても良い。
【００２５】
また、本実施形態では、第１交差縁部４Ｘ及び第２交差縁部４Ｙは、平面視でアンテナ２に直交する直交縁部である。なお、直交縁部を直交部ともいう。
また、本実施形態では、第１交差縁部４Ｘは、基材１の長手方向の一方の側（ここでは、図１中、右側）に位置し、第２交差縁部４Ｙは、基材１の長手方向の他方の側（ここでは、図１中、左側）に位置し、上述のように、第１交差縁部４Ｘ及び第２交差縁部４Ｙが、平面視でアンテナ２に交差し、アンテナ２を横切っている。
【００２６】
このため、補強材４の第１交差縁部４Ｘと第２交差縁部４Ｙで挟まれた部分が、平面視でアンテナ２に重なっており、アンテナ２を横切っていることになる。
なお、補強材４の第１交差縁部４Ｘと第２交差縁部４Ｙで挟まれた部分は、基材１の短手方向の中央に位置するため、中央部又は基材短手方向中央部ともいう。また、中央部を挟んで基材１の短手方向の両側で中央部にそれぞれ連なる部分を、第１延在部及び第２延在部ともいう。この場合、第１延在部が第１傾斜縁部４Ａ及び第２傾斜縁部４Ｂを備え、第２延在部が、第３傾斜縁部４Ｃ及び第４傾斜縁部４Ｄを備えることになる。
【００２７】
このように、保護対象のアンテナ２に対して、角度をつけた斜辺４Ａ〜４Ｄを持つ補強材４を用いる。つまり、補強材４は、補強材４の中心を通って保護対象のアンテナ２に平行な第１基準線（図１中、符号Ｙで示す線）、及び、補強材４の中心を通って保護対象のアンテナ２に垂直な第２基準線（図１中、符号Ｘで示す線）に対して角度のついた４つの斜辺４Ａ〜４Ｄを持つものとする。
【００２８】
なお、第１基準線（図１中、符号Ｙで示す線）は、補強材４の基材長手方向（アンテナ長手方向）の中心線であり、第２基準線（図１中、符号Ｘで示す線）は、補強材４の基材短手方向（アンテナ短手方向）の中心線である。
そして、これらの４つの斜辺４Ａ〜４Ｄの向き（角度）を、補強材４の基材長手方向の寸法が、補強材４の中心から遠ざかるにつれて短くなるように設定している。
【００２９】
また、保護対象のアンテナ２は、補強材４の中心付近を通って、補強材４を横切るように配置されている。そして、補強材４の４つの斜辺４Ａ〜４Ｄは、平面視で保護対象のアンテナ２を覆わないように、その形状が決められている。
これにより、ひねり曲げ時においてＲＦＩＤタグ５は、補強材４の４つの斜辺４Ａ〜４Ｄに沿って変形するため、補強材４の周囲のアンテナ２のダメージを抑制することができる。
【００３０】
また、ひねり曲げ時に変形しやすい補強材４の角部（例えば図１１参照）を削除することで、補強材４の永久変形（塑性変形）が起こる確率を下げることができ、補強材４の周囲のアンテナ２のダメージを抑制し、アンテナ２や半導体チップ３の破壊を抑制することができる。
ところで、上述のような構成を採用しているのは、以下の理由による。
【００３１】
リネン製品の管理に使用されるＲＦＩＤタグには、リネンを洗濯する過程でＲＦＩＤタグに作用する圧力においても、アンテナや半導体チップが破壊されない性能を持つことが要求される。
このようなリネン製品の管理に使用されるＲＦＩＤタグには、機械的な外力が作用してもアンテナや半導体チップが破壊しないように、補強材を設けることがある。
【００３２】
例えば、アンテナ及び半導体チップを上から覆う補強材としては、側部に凹凸を有し、アンテナとその凹部が交わることでアンテナの破壊を防ぐ形状にしたものがある。また、補強材を折り曲げた時にできる折り曲げ線が半導体チップを外れるように、凹凸に加えて、凹凸よりも小さい切欠きを側部に形成したものもある。
一方、リネン製品の管理に使用されるＲＦＩＤタグは、細長い形状が多く、洗濯工程（例えば圧力脱水工程）における主な変形モードはひねり曲げである。つまり、リネン製品の管理に使用されるＲＦＩＤタグは、ひねり曲げによる変形が生じるＲＦＩＤタグである。
【００３３】
そして、一般的に用いられる補強材のように、例えば図１１に示すように、補強材を４つの角部を有するものとすると、ＲＦＩＤタグにひねり曲げによる変形が生じた際に、補強材の４つの角部が、例えば図１２中、点線Ｘを折れ線とし、この折れ線に沿って変形（永久変形）し、これによって、補強材の際で、アンテナがダメージを受け、破断してしまうことになる。なお、図１２では、１つの角部だけに折れ線を示しているが、他の３つの角部についても同様である。
【００３４】
例えば、ＲＦＩＤタグにひねり曲げによる変形が生じた際に、半導体チップの保護のために用いられる補強材の４つの角部が永久変形（塑性変形）し、ＲＦＩＤタグ全体の変形につながり、次回の洗濯工程において、ＲＦＩＤタグへの力の作用の仕方が変わり、アンテナや半導体チップの破壊につながる場合がある。
そこで、ひねり曲げによる変形が生じてもアンテナの破断を抑制できるようにすべく、上述のような構成（図１参照）を採用している。
【００３５】
つまり、上述のような構成（図１参照）を採用することで、ＲＦＩＤタグ５にひねり曲げによる変形が生じる際に、補強材４の傾斜縁部４Ａ〜４Ｄに沿ってひねり曲げによる変形を誘導することができる。つまり、補強材４は、ＲＦＩＤタグ５のそれ以外の部分よりも硬いため、補強材４の外形に沿って折れなどの変形が生じやすい。このため、補強材４に傾斜縁部４Ａ〜４Ｄを設けることで、ＲＦＩＤタグ５にひねり曲げによる変形が生じる際に、この傾斜縁部４Ａ〜４Ｄに沿って変形が生じるように、ひねり曲げによる変形を誘導することができる。
【００３６】
また、平面視で、補強材４の中央部が保護対象であるアンテナ２を横切り、補強材４の各傾斜縁部４Ａ〜４Ｄが保護対象であるアンテナ２を横切らないようにしているため、ひねり曲げ時のアンテナ２の破断を抑制することができる。
なお、例えば特許文献１（例えば図４参照）に記載されているように、補強材の傾斜縁部がアンテナを横切るようになっていると、ひねり曲げ時にアンテナが硬い補強材の傾斜縁部に当たり、その接触部でアンテナが破断するおそれがある。
【００３７】
また、上述のような構成（図１参照）を採用することで、補強材４の各傾斜縁部４Ａ〜４Ｄに沿ってひねり曲げによる変形を誘導することができるため、補強材４の各傾斜縁部４Ａ〜４Ｄに沿う、想定される折れ線（例えば図１中、符号Ｚで示す線を参照）は、保護対象であるアンテナ２に対して斜めに交差することになる。これにより、折れ線がアンテナ２に対して直交する場合と比較して、交差している部分の長さが長くなるため、ひねり曲げ時のアンテナ２の損傷が少なくなり、アンテナ２の破断を抑制することができる。
【００３８】
ところで、本実施形態では、図１に示すように、第１交差縁部４Ｘは、第１凸部４ＸＡ、第１凹部４ＸＢ及び第２凸部４ＸＣを有し、第２交差縁部４Ｙは、第３凸部４ＹＡ、第２凹部４ＹＢ及び第４凸部４ＹＣを有する。
そして、第１交差縁部４Ｘの第１凹部４ＸＢ、第２交差縁部４Ｙの第２凹部４ＹＢが、平面視でアンテナ２に交差しており、第１交差縁部４Ｘの第１凸部４ＸＡ及び第２凸部４ＸＣ、第２交差縁部４Ｙの第３凸部４ＹＡ及び第４凸部４ＹＣは、平面視でアンテナ２に交差していない。
【００３９】
つまり、アンテナ２は、平面視で補強材４の側部（基材長手方向両側の側面）に設けられた凹部（第１凹部４ＸＢ及び第２凹部４ＹＢ）を通るように配置されており、平面視で補強材４の側部に設けられた凸部（第１凸部４ＸＡ、第２凸部４ＸＣ、第３凸部４ＹＡ及び第４凸部４ＹＣ）と重ならないようになっている。
この場合、補強材４は、基材１の短手方向に両矢印（⇔）の形状で延びており、基材１の短手方向から見て補強材４の中央付近は両側からくびれ、くびれた箇所の下にアンテナ２が延びており、平面視で補強材４の矢印部分は、矢印の頂点からアンテナ２に向けて傾斜していると見ることもできる。
【００４０】
このように構成することで、アンテナ２やＩＣチップ３にかかる応力（例えば曲げ応力）を低減し、アンテナ２の破断（断線）を抑制することが可能となる。
なお、本実施形態では、第１交差縁部４Ｘ及び第２交差縁部４Ｙをそれぞれ第１凹部４ＸＢ及び第２凹部４ＹＢを含む凹凸形状を有する縁部としているが、これに限られるものではなく、例えば図３に示すように、第１交差縁部４Ｘ及び第２交差縁部４Ｙは、第１凹部４ＸＢ及び第２凹部４ＹＢを含まない直線状の縁部としても良い。つまり、本実施形態では、補強材４は、その側部（基材長手方向両側の側面）に凹部４ＸＢ、４ＹＢを備えるが、これに限られるものではなく、例えば図３に示すように、凹部を備えない直線状の縁部としても良い。
【００４１】
ところで、上述の実施形態の構成（図１参照）において、図４に示すように、第１交差縁部４Ｘの第１凸部４ＸＡ及び第２凸部４ＸＣ、第２交差縁部４Ｙの第３凸部４ＹＡ及び第４凸部４ＹＣが、湾曲状になっていても良い。これを第１変形例という。
つまり、上述の実施形態では、第１交差縁部４Ｘの第１凸部４ＸＡの一方の角部が、第１傾斜縁部４Ａに接続されており、他方の角部が、第１凹部４ＸＢに接続されているが、これらの角部が湾曲状になっていても良い。また、第１交差縁部４Ｘの第２凸部４ＸＣの一方の角部が、第３傾斜縁部４Ｃに接続されており、他方の角部が、第１凹部４ＸＢに接続されているが、これらの角部が湾曲状になっていても良い。また、第２交差縁部４Ｙの第３凸部４ＹＡの一方の角部が、第２傾斜縁部４Ｂに接続されており、他方の角部が、第２凹部４ＹＢに接続されているが、これらの角部が湾曲状になっていても良い。また、第２交差縁部４Ｙの第４凸部４ＹＣの一方の角部が、第４傾斜縁部４Ｄに接続されており、他方の角部が、第２凹部４ＹＢに接続されているが、これらの角部が湾曲状になっていても良い。
【００４２】
例えば、各角部をＲ面取りすることによって、各角部を湾曲状になっているものとすれば良い。
このように、第１交差縁部４Ｘと第１傾斜縁部４Ａが接続される部分、第２交差縁部４Ｙと第２傾斜縁部４Ｂが接続される部分、第１交差縁部４Ｘと第３傾斜縁部４Ｃが接続される部分、第２交差縁部４Ｙと第４傾斜縁部４Ｄが接続される部分が、湾曲状になっていても良い。つまり、第１傾斜縁部４Ａの第１交差縁部４Ｘの側の端点、第２傾斜縁部４Ｂの第２交差縁部４Ｙの側の端点、第３傾斜縁部４Ｃの第１交差縁部４Ｘの側の端点、第４傾斜縁部４Ｄの第第２交差縁部４Ｙの側の端点が、湾曲状になっていても良い。
【００４３】
また、第１交差縁部４Ｘの第１凸部４ＸＡと第１凹部４ＸＢが接続される部分、第１交差縁部４Ｘの第１凹部４ＸＢと第２凸部４ＸＣが接続される部分、第２交差縁部４Ｙの第３凸部４ＹＡと第２凹部４ＹＢが接続される部分、第２交差縁部４Ｙの第２凹部４ＹＢと第４凸部４ＹＣが接続される部分が、湾曲状になっていても良い。
このように構成することで、応力が集中してしまうのを抑制することができる。
【００４４】
なお、この第１変形例では、上述の実施形態の構成（図１参照）に適用する場合を例に挙げて説明しているが、これに限られるものではなく、補強材４の側部に凹部４ＸＢ、４ＹＢを備えない構成（図３参照）に、この第１変形例の構成を適用しても良い。
この場合、第１交差縁部４Ｘと第１傾斜縁部４Ａが接続される部分、第２交差縁部４Ｙと第２傾斜縁部４Ｂが接続される部分、第１交差縁部４Ｘと第３傾斜縁部４Ｃが接続される部分、第２交差縁部４Ｙと第４傾斜縁部４Ｄが接続される部分が、湾曲状になっているものとすれば良い。
【００４５】
さらに、上述の第１変形例の構成（図４参照）において、図５（Ａ）に示すように、第１傾斜縁部４Ａと第２傾斜縁部４Ｂが接続されており、第３傾斜縁部４Ｃと第４傾斜縁部４Ｄが接続されており、第１傾斜縁部４Ａと第２傾斜縁部４Ｂが接続される部分が、湾曲状になっており、第３傾斜縁部４Ｃと第４傾斜縁部４Ｄが接続される部分が、湾曲状になっていても良い。これを第２変形例という。
【００４６】
つまり、互いに接続される第１傾斜縁部４Ａと第２傾斜縁部４Ｂの交点が湾曲状になっており、互いに接続される第３傾斜縁部４Ｃと第４傾斜縁部４Ｄの交点が湾曲状になっていても良い。
例えば、各交点をＲ面取りすることによって、各交点を湾曲状になっているものとすれば良い。
【００４７】
このように構成することで、応力が集中してしまうのを抑制することができる。
この場合、補強材４と保護対象のアンテナ２との位置関係は、図６に示すようになる。
なお、ここでは、例えば図５（Ａ）に示すように、湾曲状になっている部分（交点）のＲが小さい場合、即ち、曲率半径が小さい場合を例に挙げて説明しているが、例えば図５（Ｂ）に示すように、Ｒを大きく、即ち、曲率半径を大きくしても良い。
【００４８】
また、第１傾斜縁部４Ａ、第２傾斜縁部４Ｂ、第３傾斜縁部４Ｃ及び第４傾斜縁部４Ｄは、少なくとも傾斜している縁部であれば良く、直線状であっても良いし［例えば図５（Ａ）参照］、湾曲状であっても良い［例えば図５（Ｂ）参照］。
つまり、第１傾斜縁部４Ａ及び第２傾斜縁部４Ｂがそれぞれ直線状で、これらの交点が湾曲状になっており、また、第３傾斜縁部４Ｃ及び第４傾斜縁部４Ｄがそれぞれ直線状で、これらの交点が湾曲状になっていても良い［例えば図５（Ａ）参照］。また、第１傾斜縁部４Ａ、第２傾斜縁部４Ｂ及びこれらの交点の全体が湾曲状になっており、第３傾斜縁部４Ｃ、第４傾斜縁部４Ｄ及びこれらの交点の全体が湾曲状になっていても良い［例えば図５（Ｂ）参照］。
【００４９】
また、ここでは、第１傾斜縁部４Ａと第２傾斜縁部４Ｂが接続されており、第３傾斜縁部４Ｃと第４傾斜縁部４Ｄが接続されている場合を例に挙げて説明しているが、これに限られるものではなく、例えば、第１傾斜縁部４Ａと第２傾斜縁部４Ｂが、基材長手方向に平行な第１平行縁部を介して接続されており、第３傾斜縁部４Ｃと第４傾斜縁部４Ｄが、基材長手方向に平行な第２平行縁部を介して接続されているものとする場合は、第１傾斜縁部４Ａと第１平行縁部が接続される部分、第２傾斜縁部４Ｂと第１平行縁部が接続される部分、第３傾斜縁部４Ｃと第２平行縁部が接続される部分、第４傾斜縁部４Ｄと第２平行縁部が接続される部分が、湾曲状になっているものとすれば良い。
【００５０】
また、この第２変形例では、上述の第１変形例の構成（図４参照）に適用する場合を例に挙げて説明しているが、これに限られるものではなく、上述の実施形態の構成（図１参照）や補強材４の側部に凹部４ＸＢ、４ＹＢを備えない構成（図３参照）に、この第２変形例の構成を適用しても良い。
また、上述の第１変形例の構成（図４参照）において、図７に示すように、第１傾斜縁部４Ａ、第２傾斜縁部４Ｂ、第３傾斜縁部４Ｃ及び第４傾斜縁部４Ｄに、それぞれ、ノッチ（切り込み）７が設けられていても良い。これを第３変形例という。
【００５１】
なお、各傾斜縁部４Ａ〜４Ｄに設けられるノッチ７の数は１つであっても良いし、複数であっても良い。
このように、第１傾斜縁部４Ａ、第２傾斜縁部４Ｂ、第３傾斜縁部４Ｃ及び第４傾斜縁部４Ｄは、少なくとも１つのノッチ７を備えるものとしても良い。
なお、この第３変形例では、上述の第１変形例の構成（図４参照）に適用する場合を例に挙げて説明しているが、これに限られるものではなく、上述の実施形態の構成（図１参照）、補強材４の側部に凹部４ＸＢ、４ＹＢを備えない構成（図３参照）、上述の第２変形例の構成［図５（Ａ）、図５（Ｂ）参照］に、この第３変形例の構成を適用しても良い。
【００５２】
また、上述の実施形態の構成（図１参照）において、さらに、図８に示すように、別のアンテナ２Ｘが設けられており、この別のアンテナ２Ｘも保護したい場合には、補強材４の第１傾斜縁部４Ａ及び第２傾斜縁部４Ｂが、平面視で別のアンテナ２Ｘに部分的に重なるようにすれば良い。なお、別のアンテナ２Ｘを第２アンテナともいう。これを第４変形例という。
【００５３】
つまり、上述の実施形態の構成（図１参照）において、さらに、基材１上に設けられ、基材１の長手方向に延びる第２アンテナ２Ｘを備え、補強材４の第１傾斜縁部４Ａ及び第２傾斜縁部４Ｂが、平面視で第２アンテナ２Ｘに部分的に重なるようにすれば良い。
この場合、第２アンテナ２Ｘは、基材短手方向において、補強材４が重なる領域と、補強材４が重ならない領域とを持つことになる。
【００５４】
このように、補強材４（第１傾斜縁部４Ａ及び第２傾斜縁部４Ｂ）が第２アンテナ２Ｘの幅方向の全体を横切らないようにすることで、第２アンテナ２Ｘの破断（断線）を抑制することが可能となる。
このように、保護したい第２アンテナ２Ｘがある場合には、図８に示すように、距離Ｌ１、Ｌ２がいずれも０よりも大きくなるように、補強材４の形状、第２アンテナ２Ｘの配置（位置）などを決定すれば良い。この場合、距離Ｌ３も０よりも大きくなるように、補強材４の形状、第１アンテナ２の配置（位置）などを決定することになる。
【００５５】
なお、ここでは、補強材４の第１傾斜縁部４Ａ及び第２傾斜縁部４Ｂが、平面視で別のアンテナ（第２アンテナ）２Ｘに部分的に重なるようにする場合を例に挙げて説明しているが、これに限られるものではなく、例えば、補強材４の第３傾斜縁部４Ｃ及び第４傾斜縁部４Ｄが、平面視で別のアンテナ（第２アンテナ）に部分的に重なるようにしても良い。つまり、補強材４の第１傾斜縁部４Ａ及び第２傾斜縁部４Ｂ又は第３傾斜縁部４Ｃ及び第４傾斜縁部４Ｄが、平面視で第２アンテナ２Ｘに部分的に重なっているものとすれば良い。
【００５６】
また、図９に示すように、上述の第４変形例の構成（図８参照）に、上述の第３変形例の構成（図７参照）を適用しても良い。これを第５変形例という。
なお、図９では、各傾斜縁部４Ａ〜４Ｄに複数のノッチ７を設ける場合を例に挙げて図示している。
このように、補強材４の第１傾斜縁部４Ａ及び第２傾斜縁部４Ｂが、平面視で別のアンテナ（第２アンテナ）２Ｘに部分的に重なるようにし、さらに、第２アンテナ２Ｘに重なっている部分にノッチ（切り込み）７を備えるものとしても良い。つまり、補強材４に設けられたノッチ７と第２アンテナ２Ｘが平面視で重なるようにしても良い。
【００５７】
このように構成することで、平面視で補強材４の第１傾斜縁部４Ｘ及び第２傾斜縁部４Ｙが第２アンテナ２Ｘに重なる場合に、第２アンテナ２Ｘにかかる応力を緩和することが可能となる。
なお、各傾斜縁部４Ａ〜４Ｄに複数のノッチ７を設けることで、そのうちのいずれかのノッチ７が第２アンテナ２Ｘに重なることになるため、例えば、補強材４の形状における誤差、あるいは、補強材４と第２アンテナ２Ｘの位置ずれにも対応することが可能となる。
【００５８】
この場合、第２アンテナ２Ｘと補強材４のノッチ７は、平面視で少なくとも１つのノッチ７が第２アンテナ２Ｘと重なるような位置関係になっていれば良い。
なお、ここでは、補強材４の第１傾斜縁部４Ａ及び第２傾斜縁部４Ｂが、平面視で別のアンテナ（第２アンテナ）２Ｘに部分的に重なるようにする場合を例に挙げて説明しているが、これに限られるものではなく、例えば、補強材４の第３傾斜縁部４Ｃ及び第４傾斜縁部４Ｄが、平面視で別のアンテナ（第２アンテナ）２Ｘに部分的に重なるようにしても良い。この場合、第３傾斜縁部４Ｃ及び第４傾斜縁部４Ｄが、第２アンテナ２Ｘに重なっている部分にノッチ７を備えるものとすれば良い。
【００５９】
このように、補強材４の第１傾斜縁部４Ａ及び第２傾斜縁部４Ｂ又は第３傾斜縁部４Ｃ及び第４傾斜縁部４Ｄが、平面視で第２アンテナ２Ｘに部分的に重なっているものとすれば良く、補強材４の第１傾斜縁部４Ａ及び第２傾斜縁部４Ｂが第２アンテナ２Ｘに部分的に重なっている場合、第１傾斜縁部４Ａ及び第２傾斜縁部４Ｂが、第２アンテナ２Ｘに重なっている部分に第１ノッチ７を備えるものとし、補強材４の第３傾斜縁部４Ｃ及び第４傾斜縁部４Ｄが第２アンテナ２Ｘに部分的に重なっている場合、第３傾斜縁部４Ｃ及び第４傾斜縁部４Ｄが、第２アンテナ２Ｘに重なっている部分に第２ノッチ７を備えるものとすれば良い。
【００６０】
したがって、本実施形態にかかるＲＦＩＤタグは、ひねり曲げによる変形が生じてもアンテナ２（２Ｘ）の破断を抑制できるという効果を有する。
特に、補強材４の傾斜している箇所からひねり曲げを誘導するため、アンテナ２の損傷を少なくすることができ、アンテナ２の破断を抑制することが可能となる。
ここで、効果を確認すべく、図１０（Ａ）に示すように、補強材の各傾斜縁部４Ａ〜４Ｄの角度（斜辺角度）Ｒ、即ち、基材１の短手方向に沿う線［図１０（Ａ）中、符号Ｘで示す］とのなす角を変更しながら、図１０（Ｂ）に示すように、補強材４の中心［図１０（Ｂ）中、符号Ｘで示す部分］に荷重負荷して、シミュレーションを行なったところ、各角度においてアンテナ２にかかる応力は、図１０（Ｃ）に示すようになった。
【００６１】
図１０（Ｃ）に示すように、補強材４の各傾斜縁部４Ａ〜４Ｄの角度（斜辺角度）Ｒ、即ち、基材１の短手方向に沿う線［図１０（Ａ）中、符号Ｘで示す］とのなす角を、９０°から小さくしていくと、アンテナ２にかかる応力が低下していくことが確認できた。
つまり、上述の実施形態及び各変形例のように、補強材４に傾斜縁部４Ａ〜４Ｄを設けることで、これらの傾斜縁部４Ａ〜４Ｄに沿って変形が生じるように誘導することができ、この結果、アンテナ２にかかる応力が低下することが確認できた。
【００６２】
このように、傾斜縁部４Ａ〜４Ｄに沿って変形が生じるように誘導することで、アンテナ２にかかる応力が低下するため、アンテナ２の破断を抑制できることが確認できた。
また、図１０（Ｃ）に示すように、補強材４の各傾斜縁部４Ａ〜４Ｄの角度（斜辺角度）Ｒ、即ち、基材１の短手方向に沿う線［図１０（Ａ）中、符号Ｘで示す］とのなす角が、約７５°以下になると、アンテナ２にかかる応力が十分に低下することがわかった。
【００６３】
このため、上述の実施形態及び各変形例の構成において、補強材４の第１傾斜縁部４Ａ、第２傾斜縁部４Ｂ、第３傾斜縁部４Ｃ及び第４傾斜縁部４Ｄは、基材１の短手方向に沿う線［図１０（Ａ）中、符号Ｘで示す］とのなす角を７５°以下とするのが好ましい。
なお、本発明は、上述した実施形態及び各変形例に記載した構成に限定されるものではなく、本発明の趣旨を逸脱しない範囲で種々変形することが可能である。
【００６４】
以下、上述の実施形態及び各変形例に関し、更に、付記を開示する。
（付記１）
基材と、
前記基材上に設けられ、前記基材の長手方向に延びる第１アンテナと、
前記基材の上方に設けられ、前記基材の短手方向の両側に中央が突出するように延びる補強部とを備え、
前記補強部は、
前記基材の長手方向の一方の側に位置し、平面視で前記第１アンテナに交差する第１交差縁部と、
前記基材の長手方向の他方の側に位置し、平面視で前記第１アンテナに交差する第２交差縁部と、
平面視で前記中央の側から前記基材の長手方向の一方の側へ向けて前記第１アンテナに近づくように傾斜し、前記第１交差縁部の前記基材の短手方向の一方の側に接続される第１傾斜縁部と、
平面視で前記中央の側から前記基材の長手方向の他方の側へ向けて前記第１アンテナに近づくように傾斜し、前記第２交差縁部の前記基材の短手方向の一方の側に接続される第２傾斜縁部と、
平面視で前記中央の側から前記基材の長手方向の一方の側へ向けて前記第１アンテナに近づくように傾斜し、前記第１交差縁部の前記基材の短手方向の他方の側に接続される第３傾斜縁部と、
平面視で前記中央の側から前記基材の長手方向の他方の側へ向けて前記第１アンテナに近づくように傾斜し、前記第２交差縁部の前記基材の短手方向の他方の側に接続される第４傾斜縁部とを備えることを特徴とするＲＦＩＤタグ。
【００６５】
（付記２）
前記第１傾斜縁部、前記第２傾斜縁部、前記第３傾斜縁部及び前記第４傾斜縁部が、平面視で前記第１アンテナに交差していないことを特徴とする、付記１に記載のＲＦＩＤタグ。
（付記３）
前記第１交差縁部は、第１凸部、第１凹部及び第２凸部を有し、
前記第２交差縁部は、第３凸部、第２凹部及び第４凸部を有し、
前記第１交差縁部の前記第１凹部、前記第２交差縁部の前記第２凹部は、平面視で前記第１アンテナに交差していることを特徴とする、付記１又は２に記載のＲＦＩＤタグ。
【００６６】
（付記４）
前記第１交差縁部の前記第１凸部及び前記第２凸部、前記第２交差縁部の前記第３凸部及び前記第４凸部は、平面視で前記第１アンテナに交差していないことを特徴とする、付記３に記載のＲＦＩＤタグ。
（付記５）
前記第１交差縁部と前記第１傾斜縁部が接続される部分、前記第２交差縁部と前記第２傾斜縁部が接続される部分、前記第１交差縁部と前記第３傾斜縁部が接続される部分、前記第２交差縁部と前記第４傾斜縁部が接続される部分は、湾曲状になっていることを特徴とする、付記１又は２に記載のＲＦＩＤタグ。
【００６７】
（付記６）
前記第１交差縁部の前記第１凸部及び前記第２凸部、前記第２交差縁部の前記第３凸部及び前記第４凸部は、湾曲状になっていることを特徴とする、付記３又は４に記載のＲＦＩＤタグ。
（付記７）
前記第１傾斜縁部と前記第２傾斜縁部は、平面視で、前記補強材の前記基材の長手方向の中央位置で接続されており、
前記第３傾斜縁部と前記第４傾斜縁部は、平面視で、前記補強材の前記基材の長手方向の中央位置で接続されていることを特徴とする、付記１〜６のいずれか１項に記載のＲＦＩＤタグ。
【００６８】
（付記８）
前記第１傾斜縁部と前記第２傾斜縁部が接続される部分は、湾曲状になっており、
前記第３傾斜縁部と前記第４傾斜縁部が接続される部分は、湾曲状になっていることを特徴とする、付記７に記載のＲＦＩＤタグ。
（付記９）
前記第１傾斜縁部、前記第２傾斜縁部、前記第３傾斜縁部及び前記第４傾斜縁部は、少なくとも１つのノッチを備えることを特徴とする、付記１〜８のいずれか１項に記載のＲＦＩＤタグ。
【００６９】
（付記１０）
前記基材上に設けられ、前記基材の長手方向に延びる第２アンテナを備え、
前記補強部の前記第１傾斜縁部及び前記第２傾斜縁部又は前記第３傾斜縁部及び前記第４傾斜縁部が、平面視で前記第２アンテナに部分的に重なっていることを特徴とする、付記１〜８のいずれか１項に記載のＲＦＩＤタグ。
【００７０】
（付記１１）
前記補強部の前記第１傾斜縁部及び前記第２傾斜縁部が前記第２アンテナに部分的に重なっている場合、前記第１傾斜縁部及び前記第２傾斜縁部は、前記第２アンテナに重なっている部分に第１ノッチを備え、
前記補強部の前記第３傾斜縁部及び前記第４傾斜縁部が前記第２アンテナに部分的に重なっている場合、前記第３傾斜縁部及び前記第４傾斜縁部は、前記第２アンテナに重なっている部分に第２ノッチを備えることを特徴とする、付記１０に記載のＲＦＩＤタグ。
【００７１】
（付記１２）
前記第１傾斜縁部、前記第２傾斜縁部、前記第３傾斜縁部及び前記第４傾斜縁部は、前記基材の短手方向に沿う線とのなす角が７５°以下であることを特徴とする、付記１〜１１のいずれか１項に記載のＲＦＩＤタグ。
（付記１３）
前記基材の上方に設けられ、前記第１アンテナに電気的に接続された半導体チップを備え、
前記半導体チップは、前記補強部で覆われていることを特徴とする、付記１〜１２のいずれか１項に記載のＲＦＩＤタグ。
【００７２】
（付記１４）
前記基材は、フレキシブル性を有し、
前記補強部は、前記基材よりも硬いことを特徴とする、付記１〜１３のいずれか１項に記載のＲＦＩＤタグ。
【符号の説明】
【００７３】
１  基材（基板）
２  アンテナ（第１アンテナ）
２Ｘ  別のアンテナ（第２アンテナ）
３  ＩＣチップ（半導体チップ）
４  補強材（補強部）
４Ｘ  第１交差縁部
４ＸＡ  第１凸部
４ＸＢ  第１凹部
４ＸＣ  第２凸部
４Ｙ  第２交差縁部
４ＹＡ  第３凸部
４ＹＢ  第２凹部
４ＹＣ  第４凸部
４Ａ  第１傾斜縁部
４Ｂ  第２傾斜縁部
４Ｃ  第３傾斜縁部
４Ｄ  第４傾斜縁部
５  ＲＦＩＤタグ
６  バンプ
７  ノッチ（切り込み）
【図１】
2019192137.tif 000003
【図２】
2019192137.tif 000004
【図３】
2019192137.tif 000005
【図４】
2019192137.tif 000006
【図５】
2019192137.tif 000007
【図６】
2019192137.tif 000008
【図７】
2019192137.tif 000009
【図８】
2019192137.tif 000010
【図９】
2019192137.tif 000011
【図１０】
2019192137.tif 000012
【図１１】
2019192137.tif 000013
【図１２】
2019192137.tif 000014